(57)【要約】【課題】電柱の支線の状況を効率よく監視する。【解決手段】電柱３に設けられた支線２に、その途中に介在されている絶縁物８に対して支線２の一方の側の部分である第１の支線２ａと絶縁物８に対して支線の他方の側の部分である第２の支線２ｂとの間の電気抵抗を測定するためのセンサ１０を設け、電柱３にセンサ１０と通信可能に接続された支線情報通知装置２０（第１の情報処理装置）を設け、支線情報通知装置２０から遠隔した場所に、支線情報通知装置２０と通信可能に接続する支線状況監視装置３０（第２の情報処理装置）を設け、支線情報通知装置２０が、センサ１０によって測定された電気抵抗と現在日時とを支線状況監視装置３０に送信し、支線状況監視装置３０が、電気抵抗の時間変化に基づき支線２の状況を判定するようにする。【選択図】図２
2014193024.tif 000002
【特許請求の範囲】
【請求項１】
電柱に設けられた支線の途中に介在されている絶縁物に対して前記支線の一方の側の部分である第１の支線と前記絶縁物に対して前記支線の他方の側の部分である第２の支線との間の電気抵抗を測定するためのセンサと、
前記センサと通信可能に接続され、現在日時を生成する計時装置を有する第１の情報処理装置と、
前記第１の情報処理装置から遠隔した場所に設けられ、前記第１の情報処理装置と通信可能に接続する第２の情報処理装置と
を含み、
前記第１の情報処理装置は、前記センサによって測定された前記電気抵抗とその測定日時とを前記第２の情報処理装置に送信し、
前記第２の情報処理装置は、前記電気抵抗及び前記測定日時を受信して記憶し、
前記第２の情報処理装置は、前記電気抵抗の時間変化に基づき前記支線の状況を判定する
ことを特徴とする支線状況監視システム。
【請求項２】
請求項１に記載の支線状況監視システムであって、前記第２の情報処理装置は、前記電気抵抗が所定時間以上継続して前記閾値を下回っている場合に、前記支線に沿って植物が生育していると判定することを特徴とする支線状況監視システム。
【請求項３】
請求項１又は２に記載の支線状況監視システムであって、前記第２の情報処理装置は、前記電気抵抗が前記閾値を下回った後、所定時間以内に前記電気抵抗が再び前記閾値以上に回復している場合に、前記支線を伝って動物が移動したと判定することを特徴とする支線状況監視システム。
【請求項４】
請求項１乃至３のいずれか一項に記載の支線状況監視システムであって、
前記第１の情報処理装置は、それまで予め設定された閾値以上であった前記電気抵抗が前記閾値を下回ったことを検出すると、その電気抵抗とその測定日時とを前記第２の情報処理装置に送信し、
前記第１の情報処理装置は、それまで前記閾値を下回っていた前記電気抵抗が前記閾値以上になったことを検出すると、その電気抵抗とその測定日時とを前記第２の情報処理装置に送信する
ことを特徴とする支線状況監視システム。
【請求項５】
電柱に設けられた支線に、その途中に介在されている絶縁物に対して前記支線の一方の側の部分である第１の支線と前記絶縁物に対して前記支線の他方の側の部分である第２の支線との間の電気抵抗を測定するためのセンサを設け、
前記センサと通信可能に接続され、現在日時を生成する計時装置を有する第１の情報処理装置を設け、
前記第１の情報処理装置から遠隔した場所に、前記第１の情報処理装置と通信可能に接続する第２の情報処理装置を設け、
前記第１の情報処理装置が、前記センサによって測定された前記電気抵抗とその測定日時とを前記第２の情報処理装置に送信し、
前記第２の情報処理装置が、前記電気抵抗及び前記その測定日時を受信して記憶し、
前記第２の情報処理装置が、前記電気抵抗の時間変化に基づき前記支線の状況を判定する
ことを特徴とする支線状況監視方法。
【発明の詳細な説明】
【技術分野】
【０００１】
この発明は、支線状況監視システム、及び支線状況監視方法に関し、とくに電柱に設けられている支線の状況を効率よく監視するための技術に関する。
【背景技術】
【０００２】
強度維持や傾倒防止、不平均張力の解消などを目的として電柱には支線が施されている。電柱が自然の多い場所に設置されている場合、支線に葛（かずら）や蔦（つた）などの蔓（つる）性の植物が地面から巻き上がり、ついには電線や各種設備が設けられている部分に達して地絡や短絡等の事故を引き起こすことがある。また支線を伝って蛇や齧歯類等の動物が電柱をよじ登ることがあり、これも地絡や短絡等の事故を引き起こす要因となる。
【０００３】
こうした動植物に起因する事故を防ぐため、例えば、特許文献１には、地面から上方に延在する姿勢の電柱の支線に蔓植物巻上防止器具を設置し、これにより蔓植物を積極的に下方に案内することにより、電柱支線などに蔓植物が巻き付いて上昇するのを防ぐことが記載されている。
【０００４】
また特許文献２には、蛇が送電線または配電線に接触することによる事故の発生を防ぐため、送電鉄塔のアングル材、パイプ材、配電柱の補強用ワイヤ（支線）などに蛇の昇り防止具を取り付けることが記載されている。
【先行技術文献】
【特許文献】
【０００５】
【特許文献１】特開２０１１−１７７１０２号公報
【特許文献２】特開２００１−３０９５３２号公報
【発明の概要】
【発明が解決しようとする課題】
【０００６】
動植物に起因する地絡、短絡等の事故を未然に防ぐためには支線の状況を常時監視する必要があるが、電力会社等が保守管理の対象としている電柱の数は膨大であり、全ての電柱の支線を常時監視の対象とすることは負担が大きい。また事故を防ぐために何らかの対策を講じようとする場合には、コストや有効性の観点から、対策が必要とされる個所に適切な器具を選択して設けることが望ましい。
【０００７】
本発明はこのような背景に鑑みてなされたもので、電柱の支線の状況を効率よく監視することが可能な、支線状況監視システム、及び支線状況監視方法を提供することを目的とする。
【課題を解決するための手段】
【０００８】
上記目的を達成するための本発明の一つは、電柱に設けられた支線の途中に介在されている絶縁物に対して前記支線の一方の側の部分である第１の支線と前記絶縁物に対して前記支線の他方の側の部分である第２の支線との間の電気抵抗を測定するためのセンサと、前記センサと通信可能に接続され、現在日時を生成する計時装置を有する第１の情報処理装置と、前記第１の情報処理装置から遠隔した場所に設けられ、前記第１の情報処理装置と通信可能に接続する第２の情報処理装置とを含み、前記第１の情報処理装置は、前記センサによって測定された前記電気抵抗とその測定日時とを前記第２の情報処理装置に送信し、前記第２の情報処理装置は、前記電気抵抗及び前記測定日時を受信して記憶し、前記第２の情報処理装置は、前記電気抵抗の時間変化に基づき前記支線の状況を判定することとする。
【０００９】
本発明によれば、地域の各所に設けられている電柱に施されている支線の状況を遠隔した場所に設けられた第２の情報処理装置にて把握することができる。このため、例えば、電力会社の中央制御所、変電所、営業所等にて支線の状況を効率よく監視することができる。
【００１０】
本発明のうちの他の一つは、上記支線状況監視システムであって、前記第２の情報処理装置は、前記電気抵抗が所定時間以上継続して前記閾値を下回っている場合に、前記支線に沿って植物が生育していると判定することとする。
【００１１】
本発明によれば、支線に沿って植物が生育していることを第２の情報処理装置側で把握することができる。
【００１２】
本発明のうちの他の一つは、上記支線状況監視システムであって、前記第２の情報処理装置は、前記電気抵抗が前記閾値を下回った後、所定時間以内に前記電気抵抗が再び前記閾値以上に回復している場合に、前記支線を伝って動物が移動したと判定することとする。
【００１３】
本発明によれば、支線を伝って動物が移動したことを第２の情報処理装置側で把握することができる。
【００１４】
本発明のうちの他の一つは、上記支線状況監視システムであって、前記第１の情報処理装置は、それまで予め設定された閾値以上であった前記電気抵抗が前記閾値を下回ったことを検出すると、その電気抵抗とその測定日時とを前記第２の情報処理装置に送信し、前記第１の情報処理装置は、それまで前記閾値を下回っていた前記電気抵抗が前記閾値以上になったことを検出すると、その電気抵抗とその測定日時とを前記第２の情報処理装置に送信することとする。
【００１５】
本発明によれば、第１の情報処理装置は、電気抵抗が閾値を下回った時又は電気抵抗が閾値以上になった時に電気抵抗を第２の情報処理装置に通知するので、第１の情報処理装置と第２の情報処理装置とを結ぶ通信手段の負荷軽減、並びに第２の情報処理装置の記憶資源の有効利用を図ることができる。
【００１６】
その他、本願が開示する課題、及びその解決方法は、発明を実施するための形態の欄、及び図面により明らかにされる。
【発明の効果】
【００１７】
本発明によれば、電柱の支線の状況を効率よく監視することができる。
【図面の簡単な説明】
【００１８】
【図１】支線状況監視システム１の概略的な構成を示す図である。
【図２】支線２（電柱３）の周辺の様子を示す図である。
【図３】センサ１０の回路構成を示す図である。
【図４】支線情報取得装置２０が備える主なハードウエアを示す図である。
【図５】支線情報取得装置２０が備える主な機能を示す図である。
【図６】支線状況監視装置３０が備える主なハードウエアを示す図である。
【図７】支線状況監視装置３０が備える主な機能を示す図である。
【図８】支線情報収集処理Ｓ８００を説明するフローチャートである。
【図９】支線情報９００のデータ構造を示す図である。
【図１０】データベース３１５の内容の一例を示す図である。
【図１１】支線状況判定処理Ｓ１１００を説明するフローチャートである。
【図１２】判定処理Ｓ１２００の詳細を説明するフローチャートである。
【図１３Ａ】電気抵抗の時間変化の一例を示す図である。
【図１３Ｂ】電気抵抗の時間変化の一例を示す図である。
【図１４】判定結果表示画面１４００の一例である。
【発明を実施するための形態】
【００１９】
以下、実施形態につき図面を参照しつつ詳細に説明する。
【００２０】
図１に本発明の一実施形態として説明するシステム（以下、支線状況監視システム１と称する。）の概略的な構成を示している。同図に示すように、支線状況監視システム１は、電力会社の中央制御所、変電所、営業所等に設けられる支線状況監視装置３０（第２の情報処理装置）、及びこの支線状況監視装置３０と通信線５を介して通信可能に接続され、地域の各所に設けられた電柱３（鉄筋コンクリート柱、鉄柱、木柱等）に併設される支線情報取得装置２０（第１の情報処理装置）を含んで構成されている。
【００２１】
図２に支線状況監視システム１の監視対象である支線２（電柱３）の周辺の様子を示している。同図に示すように、電柱３の所定高さ位置には一つ以上の支持体６１（腕金等）が設けられ、これに電線４（高圧線、低圧線、配電線等）、通信線５（電話線、光通信ケーブル等）、柱上変圧器６、通信線５を保護する接続端子かん６２などの電気設備が取り付けられている。
【００２２】
支線２は、電柱３の強度維持や傾倒防止、不平衡張力の解消等を目的として施される。支線２は導体であり、例えば、ステンレス製のワイヤーを撚り合わせたものである。
【００２３】
支線２の下部には、樹脂等の絶縁性の素材からなる支線ガード６３（支線防護カバー、トラカバー等）が設けられている。支線２の下端は地面７（地中）に埋設された下部支線６４に固定されている。電柱３の上方の所定高さ位置にはリング状の取付具６５が取り付けられており、支線２の上端はこの取付具６４を介して電柱３に固定されている。
【００２４】
同図に示すように、支線２の途中には、電線４と支線２とが接触することによる短絡や地絡等の事故を防ぐ目的で絶縁物８（玉碍子等）が介在されている。そして電柱３（もしくは支線２）の所定位置には、絶縁物８に対して支線２の一方の側の部分である第１の支線２ａと、絶縁物８に対して支線２の他方の側の部分である第２の支線２ｂとの間の電気抵抗（直流抵抗）を求めるためのセンサ１０が設けられている。
【００２５】
一方、電柱３には、センサ１０によって取得される測定値（電流、電圧）に基づき、第１の支線２ａと第２の支線２ｂとの間の電気抵抗を求め、求めた電気抵抗とその測定日時を含む情報（以下、支線情報９００と称する。）を支線状況監視装置３０に送信する支線情報取得装置２０が設けられている。センサ１０と支線情報取得装置２０とは、有線又は無線の通信手段５０（例えば、導線、ＵＳＢ、ＲＳ−２３２Ｃ、有線ＬＡＮ、無線ＬＡＮ、Ｂｌｕｅｔｏｏｔｈ（登録商標）、Ｚｉｇｂｅｅ（登録商標）等）を介して通信可能に接続されている。図示していないが、センサ１０は、通信手段５０を介して支線情報取得装置２０と通信するためのインタフェースを備えている。
【００２６】
図３にセンサ１０の回路構成を示す。同図に示すように、センサ１０は、電流計１１、電圧計１２、電源回路１３、調整抵抗１４、スイッチ回路１５、及びプローブ１６（プローブ１６ａ，プローブ１６ｂ）を備えている。
【００２７】
電源回路１３は、電気抵抗の測定に用いる電圧（第１の支線２ａと第２の支線２ｂとの間に印加する電圧）を生成する。尚、電源回路１３には、例えば、柱上変圧器６や、電柱３に併設された自然エネルギー利用の発電機（太陽電池、風力発電機等）などから電力が供給される。
【００２８】
プローブ１６ａは、第１の支線２ａ（例えば、図１に示すａ点）の一部に電気的に接続される。一方、プローブ１６ｂは、第２の支線２ｂ（例えば図１に示すｂ点）の一部に電気的に接続される。
【００２９】
電流計１１は、第１の支線２ａと第２の支線２ｂとの間を流れる電流を測定する。また電圧計１２は、第１の支線２ａと第２の支線２ｂとの間の電圧を測定する。調整抵抗１４は、電流計１１を流れる電流の調節用（較正用）である。
【００３０】
電流計１１によって測定された電流値、及び電圧計１２によって測定された電圧値は、通信手段５０を介して支線情報取得装置２０に伝達される。スイッチ回路１５は、支線情報取得装置２０からの指示に応じて絶縁物８に印加する電圧をオンオフする。
【００３１】
図４は支線情報取得装置２０が備える主なハードウエアである。同図に示すように、支線情報取得装置２０は、中央処理装置２１（ＣＰＵ、ＭＰＵ等）、記憶装置２２（半導体記憶装置等)、Ｉ／Ｏ装置２３、通信装置２４、及び計時装置２５を備えた情報処理装置（コンピュータ）である。
【００３２】
このうちＩ／Ｏ装置２３は、センサ１０との間で、通信手段５０を介して制御信号（スイッチ回路１５のオンオフ制御信号）や情報（電圧値、電流値等）の送受信を行う。通信装置２４は、支線状況監視装置３０と通信線５を介して通信する。尚、通信線５を介した通信は、例えば、電話網、専用線、インターネット等を介して行われる。計時装置２５はＲＴＣ（Real Time Clock)等を用いて構成され、現在日時を生成する。
【００３３】
図５に支線情報取得装置２０が備える主な機能を示している。同図に示すように、支線情報取得装置２０は、センサ制御部２１１、測定値取得部２１２、電気抵抗算出部２１３、支線情報送信要否判定部２１４、及び支線情報送信部２１５を備える。尚、これらの機能は、中央処理装置２１が、記憶装置２２に格納されているプログラムを読み出して実行することにより、もしくは、支線情報取得装置２０が備えるハードウエアによって実現される。
【００３４】
上記機能のうち、センサ制御部２１１は、センサ１０のスイッチ回路１５のオンオフを制御する。センサ制御部２１１は、例えば、第１の支線２ａと第２の支線２ｂとの間の電気抵抗を測定するタイミングが到来するとセンサ１０のスイッチ回路１５をオンする。またセンサ制御部２１１は、上記測定が終了するとスイッチ回路１５をオフする。このような制御が行われることで、電気抵抗の測定に要する電力を抑えることができる。
【００３５】
測定値取得部２１２は、センサ１０によって測定された電流及び電圧を、通信手段５０を介して取得する。電気抵抗算出部２１３は、測定値取得部２１２によって取得された電流及び電圧に基づき第１の支線２ａと第２の支線２ｂとの間の電気抵抗を求める。
【００３６】
支線情報送信要否判定部２１４は、電気抵抗算出部２１３が求めた電気抵抗を含む支線情報９００の支線状況監視装置３０への送信要否を判定する。
【００３７】
支線情報送信部２１５は、支線情報送信要否判定部２１４が支線情報９００を支線状況監視装置３０に送信する必要があると判定した場合に通信線５を介して支線情報９００を支線状況監視装置３０に送信する。このように支線情報取得装置２０は、支線状況監視装置３０に送信する必要があると判定した場合にのみ支線情報９００を送信するので、通信線５の負荷の上昇を抑えることができる。また支線状況監視装置３０の負荷軽減や支線状況監視装置３０の記憶資源（データベース３１５の記憶領域等）の有効利用を図ることができる。
【００３８】
図６に支線状況監視装置３０が備える主なハードウエアを示している。同図に示すように、支線状況監視装置３０は、中央処理装置３１（ＣＰＵ、ＭＰＵ等）、記憶装置３２（半導体記憶装置、ハードディスク等)、通信装置３３、計時装置３４、及び入出力装置３５（キーボード、マウス、液晶ディスプレイ等）を備えた情報処理装置（コンピュータ）である。通信装置３３は、支線情報取得装置２０と通信線５を介して通信する。計時装置３４はＲＴＣ等を用いて構成され、現在日時を生成する。
【００３９】
図７に支線状況監視装置３０が備える主な機能を示す。同図に示すように、支線状況監視装置３０は、支線情報受信部３１１、支線状況判定部３１２、支線情報提供部３１３、支線情報初期化処理部３１４、及びデータベース３１５を備える。尚、これらの機能は、中央処理装置３１が、記憶装置３２に格納されているプログラムを読み出して実行することにより、もしくは、支線状況監視装置３０が備えるハードウエアによって実現される。
【００４０】
上記機能のうち、支線情報受信部３１１は、支線情報取得装置２０から送られてくる支線情報９００を受信する。
【００４１】
支線状況判定部３１２は、受信した支線情報９００に基づき支線２の状況を判定する。この判定の具体的な内容については後述する。
【００４２】
支線情報提供部３１３は、支線状況判定部３１２の判定結果などの支線２に関する情報をユーザに提供する。
【００４３】
支線情報初期化処理部３１４は、データベース３１５に格納されている特定の支線２の支線情報９００を初期化する。この初期化は、例えば、支線２について、対策や処置（例えば、植物の除去や前述した器具の設置）が講じられた際に行われる。
【００４４】
データベース３１５には、支線情報取得装置２０から受信した支線情報９００や支線状況判定部３１２により判定された結果が格納される。
【００４５】
＝処理説明＝
続いて、以上の構成からなる支線状況監視システム１にて行われる処理について説明する。
【００４６】
＜支線情報の収集＞
図８は、支線状況監視装置３０が、支線情報取得装置２０から支線情報９００を収集する処理(以下、支線情報収集処理Ｓ８００と称する。）を説明するフローチャートである。以下、同図とともに説明する。
【００４７】
同図に示すように、支線情報取得装置２０は、第１の支線２ａと第２の支線２ｂとの間の電気抵抗が予め設定された閾値を下回ったか否か（閾値未満となったか否か）を監視している（Ｓ８１１）。ここで上記閾値は、例えば、経験的もしくは実験的に把握される、動植物によって生じる支線２の状況の変化を検出するのに適した値（例えば数Ω〜数十Ω）に設定される。
【００４８】
上記監視は、リアルタイムもしくは所定時間おきに行われる。例えば、蛇等の動物が支線２を伝って移動したことを把握しようとする場合には、前者のリアルタイムな監視が適している。また例えば、支線２に沿って生育している植物の状況を把握しようとする場合には、後者の所定間隔おきの監視が適している。尚、後者のように所定間隔おきに監視する場合には、センサ１０の消費電力を抑えることができる。
【００４９】
支線情報取得装置２０は、第１の支線２ａと第２の支線２ｂとの間の電気抵抗が上記閾値を下回ったことを検出すると（Ｓ８１１：ＹＥＳ）、その時の電気抵抗及び電気抵抗が上記閾値を下回った日時を含む支線情報９００を支線状況監視装置３０に送信する（Ｓ８１２）。尚、電気抵抗が上記閾値を下回るような状況は、例えば、支線２に沿って植物の植物が生育している（蔓性植物が巻きついている）場合や蛇等の動物が支線２を伝って移動した場合に生じる。
【００５０】
図９に支線情報取得装置２０から支線状況監視装置３０に送信される支線情報のデータ構造を示している。同図に示すように、支線情報９００には、支線２が設けられている電柱３の識別子である電柱ＩＤ９１１、支線２の識別子である支線ＩＤ９１２、測定された電気抵抗９１３、電気抵抗が上記閾値を下回ったことを検出した日時である測定日時９１４などの情報が含まれる。
【００５１】
続いて、支線情報取得装置２０は、電気抵抗が再び上記閾値以上に回復したか否かの監視を開始する（Ｓ８１３）。例えば、電気抵抗が上記閾値を下回った理由が蛇等の動物が支線２を伝って移動したことであった場合、動物が絶縁物８を通過した後は電気抵抗が再び閾値以上の値に回復する。また例えば、現場に作業員が赴いて支線２に巻きついている植物を除去した場合も電気抵抗が再び閾値以上の値に回復する。
【００５２】
電気抵抗が上記閾値以上に回復したことを検出すると（Ｓ８１３：ＹＥＳ）、支線情報取得装置２０は、その時の電気抵抗並びに電気抵抗が上記閾値以上に回復した日時を含む支線情報９００を、支線状況監視装置３０に送信する（Ｓ８１４）。その後、処理はＳ８１１に戻る。
【００５３】
一方、支線状況監視装置３０は、支線情報通知装置２０から送られてくる支線情報９００の受信をリアルタイムに待機している（Ｓ８２１）。支線状況監視装置３０は、支線情報通知装置２０から送られてくる支線情報９００を受信すると、これをデータベース３１５に格納する。その後、処理はＳ８２１に戻り、支線状況監視装置３０は支線情報９００の受信待機を再開する。
【００５４】
図１０にデータベース３１５の内容の一例を示している。この図にあるように、データベース３１５には支線情報９００に含まれている情報が格納される。尚、同図における判定結果１０１については後述する。
【００５５】
＜判定処理＞
支線状況監視装置３０は、データベース３１５に格納されている情報に基づき、支線２に異常が生じているか否かを随時判定する。
【００５６】
図１１は、支線状況監視装置３０が行う上記判定に関する処理（以下、支線状況判定処理Ｓ１１００と称する。）を説明するフローチャートである。以下、同図とともに説明する。
【００５７】
支線状況監視装置３０は、支線２の状況を判定するタイミングの到来をリアルタイムに監視している（Ｓ１１１１）。尚、支線２の状況を判定するタイミングは、例えば、予め設定された日時が到来した時、支線状況監視装置３０に対して所定の操作入力が行われた時などである。
【００５８】
支線２の状況を判定するタイミングが到来すると（Ｓ１１１１：ＹＥＳ）、支線状況監視装置３０は、データベース３１５から、測定日時が所定の期間内(例えば、過去のある日時から現在までの期間内）である支線情報９００を取得する（Ｓ１１１２）。尚、支線状況監視装置３０は、上記判定対象期間を、例えば、入出力装置３５を介してユーザから受け付ける。
【００５９】
続いて支線状況監視装置３０は、データベース３１５から取得した支線情報９００に基づき、支線２の状況を判定する（Ｓ１２００）。この処理(以下、判定処理Ｓ１２００と称する。）の詳細については後述する。
【００６０】
判定処理Ｓ１２００の実行後、支線状況監視装置３０は、判定結果をデータベース３１５に判定結果１０１として格納する（Ｓ１１１４）。その後、処理はＳ１１１１に戻る。
【００６１】
図１２は、前述した判定処理Ｓ１２００の詳細を説明するフローチャートである。尚、判定処理Ｓ１２００は、データベース３１５に登録されている一つ以上の支線情報９００について支線２ごとに行われる。尚、ユーザやアプリケーションプログラム等は、どの支線２について判定処理Ｓ１２００を行うかを指定することができる。以下、同図とともに説明する。
【００６２】
支線状況監視装置３０は、まずデータベース３１５から取得したある支線２の所定期間における支線情報９００から把握される電気抵抗の時間変化について、電気抵抗が前述した閾値を下回った期間が存在するか否かを判定する（Ｓ１２１１）。電気抵抗が下回った期間が存在しない場合（Ｓ１２１１：ＮＯ）、支線状況監視装置３０は、当該支線２に異常は生じていないと判定し、データベース３１５の当該支線ＩＤの判定結果１０１に「異常なし」を設定する（Ｓ１２２１）。一方、電気抵抗が前述した閾値を下回った期間が存在する場合は（Ｓ１２１１：ＹＥＳ）、Ｓ１２１２に進む。
【００６３】
Ｓ１２１２では、支線状況監視装置３０は、電気抵抗が現在も閾値を下回ったままであるか否かを判定する。電気抵抗が現在も閾値を下回ったままである（電気抵抗が所定時間（例えば数日）以上、閾値を下回ったままである）と判定した場合（Ｓ１２１２：ＹＥＳ）、支線状況監視装置３０は、当該支線２に沿って植物が生育している（例えば、蔓性植物が巻きついている）と判定し、データベース３１５の当該支線ＩＤの判定結果１０１に「植物」を設定する（Ｓ１２２２）。
【００６４】
一方、電気抵抗が現在は閾値以上に回復している（例えば電気抵抗が閾値を下回っていた期間が数分〜数時間程度である）と判定した場合（Ｓ１２１２：ＮＯ）、支線状況監視装置３０は、当該支線２を伝って蛇等の動物が移動したと判定し、データベース３１５の当該支線ＩＤの判定結果１０１に「動物」を設定する（Ｓ１２２３）。
【００６５】
図１３Ａ及び図１３Ｂは、図１０に例示したデータベース３１５の内容を、日時を横軸とし電気抵抗を縦軸として描いた電気抵抗の時間変化を示すグラフである。尚、図１３Ａは、図１０における電柱ＩＤ９１１が「Ｄ１」かつ支線ＩＤ９１２が「Ｓ１」の支線２に対応し、図１３Ｂは、図１０における電柱ＩＤ９１１が「Ｄ１」かつ支線ＩＤ９１２が「Ｓ２」の支線２に対応している。
【００６６】
＜判定結果の提供等＞
支線状況監視装置３０は、データベース３１５に格納されている支線２の状況の判定結果の確認や各種設定を行うためのユーザインタフェースを提供する。
【００６７】
図１４は、上記ユーザインタフェースの一例であり、支線状況監視装置３０が表示する画面（以下、判定結果表示画面１４００と称する。）である。
【００６８】
例えば、ユーザが判定結果表示画面１４００の結果表示ボタン１４２０を操作すると、判定結果表示画面１４００の下部（符号１４５０）に支線２ごとのデータベース３１５の判定結果１０１の内容が表示される。尚、判定結果表示画面１４００に、図１３Ａ、図１３Ｂに示したようなグラフを表示するようにしてもよい。
【００６９】
ユーザが判定実行ボタン１４１０を操作すると、前述した支線状況判定処理Ｓ１１００が起動して、最新の判定結果がデータベース３１５に格納される。
【００７０】
ユーザが判定結果表示画面１４００の支線情報初期化ボタン１４３０を操作すると、例えば、データベース３１５に格納されている特定の支線情報９００を選択して初期化するための画面が表示される。例えば、作業員等が現場に赴き植物の除去等の処理を行った後（除去等の処理を施すことにより電気抵抗は閾値以上に回復する）、ユーザはこのボタンを操作して該当の支線２の支線情報９００を初期化する。
【００７１】
判定結果表示画面１４００の閾値設定ボタン１４４０は、ユーザが前述した閾値を設定もしくは調整したい場合に操作する。ユーザは、支線２の状況を適切に判定できるように、個々の現場の個別の状況を勘案して前述した閾値を設定もしくは調節する。
【００７２】
以上に説明したように、本実施形態の支線状況監視システム１によれば、地域の各所に設けられている電柱３に施されている支線２の具体的な状況（支線２に沿って植物が生育している（蔓性植物等が巻きついている）、蛇等の動物が支線２を伝って移動している等）を、遠隔した場所に設けられた支線状況監視装置３０によって確認することができる。このため、例えば、電力会社の中央制御所、変電所、営業所等において支線２の状況を効率よく集中して監視することができ、支線２の管理業務の効率化を図ることができる。また必要な対策を早期に講じることが可能となり、短絡や地絡等の事故の発生を未然に防止することができる。また支線状況監視システム１を利用すれば対策が必要とされる支線２を容易に特定することができるので、対策が優先される場所を適切に選択して有効な対策を講じることができる。
【００７３】
また支線情報取得装置２０は、支線状況監視装置３０に通知する必要があると判断した場合にのみ、支線状況監視装置３０に支線情報９００を送信するので、支線情報取得装置２０と支線状況監視装置３０との間を結ぶ通信線５の負荷（トラフィック等）の上昇を抑えることができる。
【００７４】
尚、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【００７５】
例えば、以上に説明した実施形態では一つの支線２の一箇所に絶縁物８を設け、その前後に繋がる支線（第１の支線２ａ，第２の支線２ｂ）間の電気抵抗を測定して支線２の状況を判定するようにしているが、一つの支線２の複数個所に所定の間隔をあけて絶縁物８を設け、各絶縁物８の前後に繋がっている支線２間の電気抵抗を測定し、それらの結果を総合して支線２の状況を判定するようにしてもよい。これにより蔓性植物の成長の度合いや動物の大きさ（長さ）などのより詳細な支線２の状況を取得することができる。
【００７６】
支線状況監視システム１を、例えば、電力会社等が運用している配電自動化システム等の他のシステムと連携させるようにしてもよい。そのようにすれば、他のシステムとの間で電気設備に関する情報を共有でき、複数のシステムを全体として効率よく運用することができる。
【００７７】
支線情報取得装置２０は必ずしも電柱３に設ける必要はなく、支線２など電柱３以外の場所に設けてもよい。
【００７８】
前述した閾値を設定するためのユーザインタフェースを支線情報通知装置２０に設けてもよい。
【００７９】
電気抵抗の測定精度の向上を図るため、電源回路１３に定電流回路や定電圧回路を組み込むようにしてもよい。
【００８０】
支線情報通知装置２０側で支線情報を記憶しておき、支線情報通知装置２０に設けた入出力装置を介して巡視者等が支線情報や支線情報の時間変化を簡便に確認できるようにしてもよい。そのようにすれば、巡視者等は過去にその支線２に生じた事象（動物が支線２を伝って移動したこと等）を現場で確認することができ、必要な対策を迅速に講じることができる。
【符号の説明】
【００８１】
１  支線状況監視システム、２  支線、３  電柱、５  通信線、６  柱上変圧器、７  地面、８  絶縁物、１０  センサ、２０  支線情報取得装置、２１１  センサ制御部、２１２  測定値取得部、２１３  電気抵抗算出部、２１４  支線情報送信要否判定部、２１５  支線情報送信部、３０  支線状況監視装置、３１１  支線情報受信部、３１２  支線状況判定部、３１３  支線情報提供部、３１４  支線情報初期化処理部、３１５  データベース、５０  通信手段、９００  支線情報、１４００  判定結果表示画面、Ｓ８００  支線情報収集処理、Ｓ１１００  支線状況判定処理、Ｓ１２００  判定処理
【図１】
2014193024.tif 000003
【図２】
2014193024.tif 000004
【図３】
2014193024.tif 000005
【図４】
2014193024.tif 000006
【図５】
2014193024.tif 000007
【図６】
2014193024.tif 000008
【図７】
2014193024.tif 000009
【図８】
2014193024.tif 000010
【図９】
2014193024.tif 000011
【図１０】
2014193024.tif 000012
【図１１】
2014193024.tif 000013
【図１２】
2014193024.tif 000014
【図１３Ａ】
2014193024.tif 000015
【図１３Ｂ】
2014193024.tif 000016
【図１４】
2014193024.tif 000017